(57)【特許請求の範囲】
【請求項１】
マグネットを含む磁気回路が設けられたベース部材と、ディスク状記録媒体に光ビームを照射する対物レンズが保持されたレンズホルダと、このレンズホルダを弾性的に支持する複数本の導電性のワイヤと、これらワイヤの固定端側に接続された横長形状の背面基板とを備えた光学式ピックアップの対物レンズ駆動装置において、
前記ベース部材が金属製の一体部品からなり、このベース部材に、前記背面基板の長手方向の中央部を支持する第１折曲片と、前記背面基板の側端部に所定間隔を存して対向する第２折曲片と、これら背面基板の側端部と第２折曲片との間に位置する第３折曲片とが設けられると共に、前記第２折曲片に形成された透孔内に前記ワイヤを挿通した状態で緩衝用ゲル剤が充填されており、前記第３折曲片は前記透孔に挿通された前記ワイヤと干渉しない位置で前記背面基板の側端部に対向し、該側端部の前記第２折曲片側への過度の変形を規制することを特徴とする光学式ピックアップの対物レンズ駆動装置。
【請求項２】
請求項１の記載において、前記ベース部材に前記第３折曲片の上方に突出する第４折曲片が設けられており、この第４折曲片の下方空間に前記背面基板の側端部と前記透孔間に延在する前記ワイヤが位置していることを特徴とする光学式ピックアップの対物レンズ駆動装置。
【請求項３】
請求項１または２の記載において、前記ベース部材に前記レンズホルダの上方に位置する第５折曲片が設けられており、この第５折曲片によって前記レンズホルダの過度の上昇が規制されることを特徴とする光学式ピックアップの対物レンズ駆動装置。
【請求項４】
請求項３の記載において、前記ベース部材に設けられたヨーク部に前記マグネットが密着固定されると共に、このヨーク部から前記第５折曲片が延設されていることを特徴とする光学式ピックアップの対物レンズ駆動装置。
【発明の詳細な説明】
【技術分野】
【０００１】
本発明は、ＤＶＤやＣＤ等のディスク状記録媒体に対して情報を記録／再生する光学式ピックアップに係り、特に、対物レンズを保持するレンズホルダが複数本のワイヤによって弾性的に支持されている光学式ピックアップの対物レンズ駆動装置に関する。
【背景技術】
【０００２】
この種の光学式ピックアップの対物レンズ駆動装置では、対物レンズを保持するレンズホルダが複数本（４本または６本）の導電性のワイヤによって弾性的に支持されており、各ワイヤの固定端側は背面基板に半田付けされている。従来の一般的な対物レンズ駆動装置においては、樹脂成形品である支持部材に設けられた空所に各ワイヤの固定端近傍が挿通されており、この空所に緩衝用ゲル剤が充填されている。背面基板は支持部材の背面側に固定されており、この支持部材は磁性体からなるベース部材に担持されている。ベース部材には磁気回路が設けられており、このベース部材のヨーク部にマグネットが密着固定されている。対物レンズはディスク状記録媒体（以下「ディスク」と略称）の信号記録面と対向する位置に配置され、ディスクに対して情報の記録や再生が行われる際には、光学式ピックアップの光源（半導体レーザ）から出射された光ビームを対物レンズで収束させてディスクの信号記録面に照射する。
【０００３】
なお、対物レンズ駆動装置のレンズホルダには、磁気回路の磁束を横切るフォーカスコイルとトラッキングコイルが取着されており、これらのコイルがワイヤの一端部（自由端部）に接続されていると共に、ワイヤの他端部（固定端部）が背面基板に接続されている。そして、この背面基板がフレキシブル配線基板を介して外部駆動回路に接続されるため、所定のワイヤを介してフォーカスコイルに通電することにより、対物レンズの光軸に沿った方向に電磁力を発生させてその方向へレンズホルダを駆動することができ、これにより対物レンズのフォーカス補正が可能となる。同様に、別のワイヤを介してトラッキングコイルに通電することにより、対物レンズの光軸と直交する方向に電磁力を発生させてその方向へレンズホルダを駆動することができ、これにより対物レンズのトラッキング補正が可能となる。また、このようにしてレンズホルダの姿勢が制御されることから、レンズホルダを支持する各ワイヤを自由に弾性変形させることはできないが、支持部材の空所に充填された緩衝用ゲル剤が該空所内のワイヤに対してダンパー効果を及ぼすため、各ワイヤはレンズホルダの動きを阻害しないように弾性変形することができる。
【０００４】
ところで、上記のごとく構成された対物レンズ駆動装置では、樹脂成形品である支持部材をベース部材に取り付け、この支持部材の空所にワイヤを挿通して緩衝用ゲル剤を充填させているが、この支持部材を省略して対物レンズ駆動装置の低コスト化を図ることも可能である。つまり、予めベース部材に支持部材の空所と同様の機能を果たす空所や、背面基板を固定可能な取付面等が形成されていれば、支持部材が不要となって部品コストと組立コストを低減することが可能になる。
【０００５】
そこで従来より、対物レンズ駆動装置のベース部材を磁性材料からなる板金製の一体部品とし、このベース部材に、背面基板の長手方向の中央部が接着固定される立壁部を設けると共に、背面基板の両側端部に対向する一対の空所を設けるという構成の光学式ピックアップが提案されている（例えば、特許文献１参照）。このものは、ベース部材の立壁部が一対の空所に挟まれて起立しており、各空所はベース部材の凹状折曲部に包囲された形状に形成されている。そして、各空所にワイヤが複数本ずつ挿通されていると共に、各空所に緩衝用ゲル剤が充填されてワイヤに対するダンピングが行えるようになっている。
【先行技術文献】
【特許文献】
【０００６】
【特許文献１】特開２００９−２１７８６３号公報
【発明の概要】
【発明が解決しようとする課題】
【０００７】
しかしながら、特許文献１に開示された従来の対物レンズ駆動装置では、ベース部材に設けられたワイヤの挿通部が金属板を折曲加工して形成された比較的大きな空所であるため、この空所内に緩衝用ゲル剤を充填させる作業が面倒であり、ゲル剤の基準面（ワイヤ自由端側の端面）の位置もばらつきやすいという問題があった。すなわち、比較的大きな空所は金属板を折曲加工して所望形状に形成することは容易であるが、ゾル状態の未硬化のゲル剤を空所に注入すると他所へ流動しやすいため、注入作業に細心の注意が必要で時間を要してしまい、かつ、硬化後のゲル剤の基準面の位置がばらつきやすいため各ワイヤの有効長の精度も悪くなってしまう。また、空所に注入した未硬化のゲル剤はＵＶ（紫外線）光を照射することによって硬化させるが、空所の一方の開口端が背面基板に覆われたような状態になっているため、この開口端側においてＵＶ光が効果的に照射されなくなり、よって空所内の未硬化のゲル剤を短時間で硬化させることも困難であった。
【０００８】
本発明は、このような従来技術の実情に鑑みてなされたもので、その目的は、部品コストと組立コストを低減できて緩衝用ゲル剤の充填硬化作業も効率良く行える光学式ピックアップの対物レンズ駆動装置を提供することにある。
【課題を解決するための手段】
【０００９】
上記の目的を達成するために、本発明は、マグネットを含む磁気回路が設けられたベース部材と、ディスク状記録媒体に光ビームを照射する対物レンズが保持されたレンズホルダと、このレンズホルダを弾性的に支持する複数本の導電性のワイヤと、これらワイヤの固定端側に接続された横長形状の背面基板とを備えた光学式ピックアップの対物レンズ駆動装置において、前記ベース部材が金属製の一体部品からなり、このベース部材に、前記背面基板の長手方向の中央部を支持する第１折曲片と、前記背面基板の側端部に所定間隔を存して対向する第２折曲片と、これら背面基板の側端部と第２折曲片との間に位置する第３折曲片とが設けられると共に、前記第２折曲片に形成された透孔内に前記ワイヤを挿通した状態で緩衝用ゲル剤が充填されており、前記第３折曲片は前記透孔に挿通された前記ワイヤと干渉しない位置で前記背面基板の側端部に対向し、該側端部の前記第２折曲片側への過度の変形を規制するようにした。
【００１０】
このように金属からなる一体部品のベース部材に、背面基板を支持する第１折曲片と、透孔を有する第２折曲片とが設けられ、この透孔にワイヤを挿通して緩衝用ゲル剤が充填されるようにすると、支持部材を別途用意する必要がなくなるため部品コストと組立コストを低減できる。また、第２折曲片の透孔に注入した未硬化のゲル剤は、表面張力を利用して透孔に容易に充填させることができ、透孔内におけるゲル剤の基準面の位置も安定させやすい。しかも、第２折曲片の透孔は背面基板と所定間隔を存して対向しており、透孔の背面基板側の開口端にも広いスペースが確保されることから、ゾル状態のゲル剤にＵＶ光を照射して硬化させる作業を効率良く円滑に行える。また、ベース部材に設けられた第３折曲片によって、背面基板の側端部が第２折曲片側へ過度に撓まないように規制しているため、光学式ピックアップの組立時に作業者が背面基板の自由端側を意図せずに押し込んでしまっても、背面基板の過度の変形（塑性変形）を防止することができる。
【００１１】
上記の構成において、ベース部材に第３折曲片の上方に突出する第４折曲片が設けられており、この第４折曲片の下方空間に背面基板の側端部と透孔間に延在するワイヤが位置していると、光学式ピックアップの組立時に作業者がワイヤの固定端側に触れにくくなるため、ワイヤの固定端側を不用意に塑性変形させてしまう虞がなくなる。
【００１２】
また、上記の構成において、ベース部材にレンズホルダの上方に位置する第５折曲片が設けられており、この第５折曲片によってレンズホルダの過度の上昇が規制されるようにすると、光学式ピックアップに振動や衝撃が加わってもレンズホルダの姿勢が崩れないため所要の耐久性を確保できると共に、レンズホルダを位置規制するためのカバー部材を別途用意する必要がなくなるため部品コストと組立コストを低減できる。この場合において、ベース部材に設けられたヨーク部にマグネットが密着固定されると共に、このヨーク部から第５折曲片が延設されていると、ヨーク体積を増加させて磁気回路の磁気効率が高まるため好ましい。
【発明の効果】
【００１３】
本発明による光学式ピックアップの対物レンズ駆動装置は、金属からなる一体部品のベース部材に、背面基板を支持する第１折曲片と、ワイヤを挿通して緩衝用ゲル剤が充填される透孔を有する第２折曲片とが設けられており、支持部材を別途用意する必要がないため、部品コストと組立コストを低減できて装置全体の低コスト化に有利である。また、第２折曲片の透孔に未硬化のゲル剤を注入したうえでＵＶ光を照射して硬化させるという緩衝用ゲル剤の充填硬化作業が効率良く行えると共に、該透孔内における緩衝用ゲル剤の基準面（ワイヤ自由端側の端面）の位置がばらつかないため、ワイヤの有効長の精度が高めやすい。さらに、ベース部材に設けた第３折曲片によって、背面基板の側端部が第２折曲片側へ過度に撓まないように規制しているため、光学式ピックアップの組立時に作業者が背面基板の自由端側を意図せずに押し込んでしまっても、背面基板が過度に撓んで塑性変形してしまうことを防止できる。
【図面の簡単な説明】
【００１４】
【図１】本発明の実施形態例に係る光学式ピックアップの斜視図である。
【図２】該光学式ピックアップを図１の奥側から見た斜視図である。
【図３】該光学式ピックアップの平面図である。
【図４】該光学式ピックアップの側面図である。
【図５】該光学式ピックアップの底面図である。
【図６】該光学式ピックアップの分解斜視図である。
【図７】該光学式ピックアップに備えられるシャーシの平面図である。
【図８】該光学式ピックアップの内部構造を示す斜視図である。
【図９】図８に対応する側面図である。
【図１０】図８の右側方から見た外観図である。
【図１１】図８に対応する背面図である。
【図１２】図１０と図１１に対応する要部斜視図である。
【図１３】該光学式ピックアップに備えられるレンズアクチュエータの斜視図である。
【図１４】該レンズアクチュエータの平面図である。
【図１５】該レンズアクチュエータの側面図である。
【図１６】該レンズアクチュエータの背面図である。
【図１７】該レンズアクチュエータの分解斜視図である。
【図１８】該レンズアクチュエータの構成要素であるベース部材の斜視図である。
【図１９】該ベース部材の平面図である。
【図２０】該ベース部材の右側面図である。
【図２１】該ベース部材の左側面図である。
【図２２】該ベース部材の背面図である。
【図２３】該ベース部材の展開図である。
【図２４】図２３に対応する平面図である。
【発明を実施するための形態】
【００１５】
発明の実施の形態について図面を参照して説明する。図１〜図６は本発明の実施形態例に係る光学式ピックアップの全体を示している。
【００１６】
これらの図に示す光学式ピックアップ１は、樹脂成形品であるシャーシ２と、このシャーシ２に担持された受発光ユニット３やレンズアクチュエータ４や反射ミラー１７（図６参照）等と、シャーシ２から導出されて外部回路に接続されるＦＰＣ（フレキシブル配線基板）５とによって概略構成されている。対物レンズ駆動機構であるレンズアクチュエータ４は、マグネット１０を含む磁気回路が設けられたベース部材６と、対物レンズ８を保持するレンズホルダ７と、一端部（自由端部）がレンズホルダ７を弾性的に支持している４本の導電性のワイヤ９と、各ワイヤ９の他端部（固定端部）が半田付けされた横長形状の背面基板１１とを備えている。また、ＦＰＣ５はシャーシ２外に導出された長尺で幅広な主部５０を有しており、この主部５０がシャーシ２内で第１帯状部５１と第２帯状部５２とに分岐されている。これら両帯状部５１，５２のうち、第１帯状部５１は背面基板１１に接続され、第２帯状部５２は受発光ユニット３に接続されている。
【００１７】
なお、受発光ユニット３には光源（半導体レーザ）と光検出器が一体的に設けられている。また、反射ミラー１７等の光学手段は、受発光ユニット３と対物レンズ８間の光路中に配設されている。
【００１８】
シャーシ２は、図示せぬガイド主軸が挿通される第１ガイド部２１と、図示せぬガイド副軸に弾接状態で係合する第２ガイド部２２とを有しており、これらガイド主軸とガイド副軸に案内されながらディスクの半径方向へ移送されるようになっている。このシャーシ２内には、第１ガイド部２１が突設されている一方側の端部にレンズアクチュエータ４の背面基板１１が設置され、第２ガイド部２２が突設されている他方側の端部に受発光ユニット３が設置されている。また、シャーシ２の他方側の端部には金属薄板からなる押え板１５が取着されており、この押え板１５を受発光ユニット３に圧接させることによって、受発光ユニット３に対する放熱効果が高められている。なお、図８〜図１２は、光学式ピックアップ１からシャーシ２や押え板１５を省略した状態の外観図である。
【００１９】
図７の平面図に示すように、シャーシ２には上部を開放する収納空間２３が設けられており、この収納空間２３に組み込まれたレンズアクチュエータ４のベース部材６がシャーシ２にねじ止め固定されている。また、シャーシ２の内底部には収納空間２３の一隅に沿って平面視Ｌ字状に延びる溝部２４が設けられており、図９の２点鎖線で示すように、この溝部２４にＦＰＣ５の第１帯状部５１の下端部を挿入（収容）することによって、組立時に懸念される第１帯状部５１の組み付け不良が回避されるようになっている。溝部２４の一端側はシャーシ２の一側壁（外壁部）２５に沿って延びており、この一側壁２５は溝部２４の近傍においてＦＰＣ５の第１帯状部５１を露出させうる高さ寸法に設定されている（図４参照）。
【００２０】
図１３〜図１７はレンズアクチュエータ４を示しており、図１８〜図２２はレンズアクチュエータ４の構成要素であるベース部材６を示している。ベース部材６は磁性材料からなる板金製の一体部品であり、図２３と図２４に示す展開形状の金属板１６を折曲加工して形成される。このベース部材６には、レンズホルダ７を配置させるホルダ収納部６ａが画成されていると共に、２本の調整ねじ１３（図１〜図６参照）を用いてシャーシ２に固定される一対の取付片６０と、背面基板１１の長手方向の中央部を接着固定する第１折曲片６１と、ワイヤ９を挿通させる透孔６２ａを有する一対の第２折曲片６２とが設けられている。また、このベース部材６には、一対の第２折曲片６２の近傍にそれぞれ第３折曲片６３と第４折曲片６４が設けられていると共に、ホルダ収納部６ａの上方の四隅に第５折曲片６５が設けられている。なお、図２３と図２４の展開図において、図１８〜図２２と対応する部分には括弧付きで同一符号を付してある。
【００２１】
ベース部材６の第１折曲片６１と第２折曲片６２および第３折曲片６３は上向きに折曲された起立片であり、取付片６０と第４折曲片６４および第５折曲片６５は横向きに折曲された突出片である。そして、一対の取付片６０に螺着した各調整ねじ１３を適宜回転すことにより、シャーシ２に対するベース部材６の姿勢が変化して対物レンズ８の光軸の傾き調整（スキュー調整）を行えるようになっている。
【００２２】
一対の第２折曲片６２にはそれぞれ上下一対の透孔６２ａが形成されており、図１２と図１３に示すように、各透孔６２ａ内にはワイヤ９を挿通した状態で緩衝用ゲル剤１２が充填される（図１や図２、図８、図１０等では緩衝用ゲル剤１２を図示省略）。具体的には、未硬化のゲル剤を透孔６２ａに注入して充填させた後、このゲル剤にＵＶ光を照射して硬化させるという充填硬化作業を行って緩衝用ゲル剤１２となしている。そして、この緩衝用ゲル剤１２が透孔６２ａ内のワイヤ９に対してダンパー効果を及ぼすため、レンズホルダ７の動きを阻害しないように各ワイヤ９を弾性変形させることができる。なお、背面基板１１の長手方向の中央部を第１折曲片６１に固定すると、この背面基板１１の両側端部（長手方向の両端部）がそれぞれ第２折曲片６２と所定間隔を存して対向するようになっているため、ワイヤ９の固定端部に近接し過ぎない箇所で効果的にダンピングを行うことができる。また、緩衝用ゲル剤１２の充填硬化作業を行なう場合に、ゾル状態のゲル剤をその表面張力を利用して透孔６２ａ内に容易に充填させることができると共に、このゲル剤の透孔６２ａ内における基準面の位置も安定させることができ、しかも、透孔６２ａと背面基板１１との間のスペースを有効利用してＵＶ光を効率良く照射させることができる。
【００２３】
一対の第３折曲片６３は透孔６２ａに挿通されたワイヤ９と干渉しない位置で第２折曲片６２と対向しており、ベース部材６を側方から見ると、第３折曲片６３は第２折曲片６２と背面基板１１の側端部との間に立設されている。したがって、背面基板１１の長手方向の中央部を第１折曲片６１に固定すると、この背面基板１１の両側端部がそれぞれ第３折曲片６３に近接して対向することになり、背面基板１１の側端部が第２折曲片６２側へ押し撓められたとても、該側端部がすぐに第３折曲片６３に当接して位置規制されるようになっている。つまり、これら一対の第３折曲片６３は、背面基板１１の両側端部（自由端）がワイヤ９のスラスト方向（軸線方向）へ過度に撓まないように規制するためのものである。
【００２４】
一対の第４折曲片６４は第２折曲片６２の上部から近傍の第３折曲片６３を覆うように横向きに延びており、第２折曲片６２と背面基板１１との間に延在するワイヤ９は各第４折曲片６４の下方空間内に位置している。つまり、各ワイヤ９の固定端側が第２折曲片６２と背面基板１１との間の空所に遮蔽されることなく露出していると、組立作業時などに誤ってワイヤ９を塑性変形させてしまう危険性があるため、これら第４折曲片６４によってワイヤ９を保護している。
【００２５】
ベース部材６にはホルダ収納部６ａを挟んで対向する一対のヨーク部６ｂが立設されており、各ヨーク部６ｂの上部から線対称な位置関係で２片ずつ、計４片の第５折曲片６５が横向きに延びている。これら第５折曲片６５は、光学式ピックアップ１に振動や衝撃が加わってもレンズホルダ７が過度に上昇しないように規制するためのものである。また、各ヨーク部６ｂの対向面にはそれぞれマグネット１０が密着固定されており、このようなヨーク部６ｂから第５折曲片６５が延設されているため、各第５折曲片６５は磁気回路のヨーク体積の増大化にも寄与している。
【００２６】
対物レンズ８はレンズホルダ７の中央部に保持されており、ディスクに対する情報の記録や再生が行われる際に、受発光ユニット３の光源（半導体レーザ）から出射された光ビームが反射ミラー１７等の光学手段を経て対物レンズ８に入射された後、この対物レンズ８で収束されてディスクの信号記録面に照射されるようになっている。また、ディスクの信号記録面で反射された戻り光は、対物レンズ８へ入射された後、前記光学手段を経て受発光ユニット３の光検出器で光電変換されて電気信号が取り出される。
【００２７】
レンズホルダ７には磁気回路の磁束を横切るコイル（フォーカスコイルとトラッキングコイル）１４が取着されており、これらのコイル１４がワイヤ９の一端部（自由端部）に接続されていると共に、ワイヤ９の他端部（固定端部）が背面基板１１に接続されている。そして、この背面基板１１がＦＰＣ５を介して外部駆動回路に接続されるため、所定のワイヤ９を介してフォーカスコイルに通電することにより、対物レンズ８の光軸に沿った方向に電磁力を発生させてその方向へレンズホルダ７を駆動することができ、これにより対物レンズ８のフォーカス補正が可能となる。同様に、別のワイヤ９を介してトラッキングコイルに通電することにより、対物レンズ８の光軸と直交する方向に電磁力を発生させてその方向へレンズホルダ７を駆動することができ、これにより対物レンズ８のトラッキング補正が可能となる。なお、前述したように、透孔６２ａ内のワイヤ９に対して緩衝用ゲル剤１２がダンパー効果を及ぼすため、レンズホルダ７を弾性的に支持している各ワイヤ９は、通電時にレンズホルダ７の動きを阻害しないように弾性変形できる。また、透孔６２ａのトータル数は使用するワイヤ９の本数に対応しており、本実施形態例では４本のワイヤ９に対応して計４つの透孔６２ａが形成されているが、ワイヤ９を６本配設する構成の場合は、各第２折曲片６２にそれぞれ３つの透孔６２ａ（計６つ）を形成すれば良い。
【００２８】
背面基板１１の長手方向の中央部はベース部材６の第１折曲片６１に接着固定され、該中央部にＦＰＣ５の第１帯状部５１が半田付けされている。ただし、背面基板１１には第１折曲片６１に接着されずにベース部材６の下方へ突出する突出部１１ａが形成されており、この突出部１１ａを含む背面基板１１の中央部がＦＰＣ５との接続箇所となっている。また、背面基板１１の両側端部（長手方向の両端部）にはワイヤ９が半田付けされており、これら両側端部はワイヤ９のスラスト方向の動きを阻害しないように撓み変形可能な自由端部となっている。なお、前述したように、背面基板１１の両側端部は、透孔６２ａを有する第２折曲片６２と所定間隔を存して対向していると共に、位置規制用の第３折曲片６３と近接して対向している。
【００２９】
次に、ＦＰＣ５の構成について詳しく説明する。ＦＰＣ５の長尺で幅広な主部５０はシャーシ２の外方へ導出されており、この主部５０の先端部分がセット側の外部回路（外部駆動回路や信号処理回路等）とコネクタ接続される部位となる。主部５０は第１帯状部５１と第２帯状部５２とに分岐しており、そのうち第１帯状部５１は、シャーシ２内でベース部材６の一側面６ｃに沿って引き回されて略直角に折り曲げられた後、背面基板１１の自由端側の下方から突出部１１ａを経て中央部に接続されている。一方、第２帯状部５２はシャーシ２の上面に沿って引き回された後、下方へ折り曲げられて受発光ユニット３に接続されているが、図８に示すように、この第２帯状部５２は受発光ユニット３と一緒にシャーシ２に組み付けられて半固定状態となっている。
【００３０】
図８〜図１２に示すように、ＦＰＣ５の第１帯状部５１は、背面基板１１との接続箇所である突出部１１ａから該背面基板１１の下方を通って側端部へ延伸する先部５１ａと、この先部５１ａに連続して略直角に折り曲げられた曲げ部５１ｂと、この曲げ部５１ｂからベース部材６の一側面６ｃに沿って斜め上方へ延伸する傾斜部５１ｃとを有しており、傾斜部５１ｃから曲げ部５１ｂの逆側へ延伸する部分を第２帯状部５２に連続させている。この第１帯状部５１は、先部５１ａを背面基板１１の中央部に半田付けした状態で、レンズアクチュエータ４と一緒にシャーシ２内へ組み込まれる。その際、第１帯状部５１の傾斜部５１ｃはベース部材６の一側面６ｃとシャーシ２の一側壁２５との間の空隙に配置されるが、こうしてシャーシ２内に第１帯状部５１を組み付けると、傾斜部５１ｃの上端部分がシャーシ２の一側壁２５よりも上方に位置して光学式ピックアップ１の側方に露出するようになっている（図４参照）。
【００３１】
この光学式ピックアップ１では、対物レンズ８をフォーカス方向やトラッキング方向へ駆動（フォーカス補正やトラッキング補正）するための制御信号がＦＰＣ５の第１帯状部５１を介してワイヤ９に供給されるようになっている。また、ＦＰＣ５の第２帯状部５２を介して受発光ユニット３に電源信号や制御信号が供給されると共に、光検出器が検出した信号（電気信号）が第２帯状部５２を介してセット側の信号処理回路へ送出されるようになっている。
【００３２】
次に、レンズアクチュエータ４をシャーシ２内へ組み込む作業について説明する。この場合、ＦＰＣ５は予め第１帯状部５１の先端部分を背面基板１１の中央部に接続しておくと共に、第２帯状部５２を受発光ユニット３に接続してシャーシ２に組み付けておき、この状態でレンズアクチュエータ４を第１帯状部５１と一緒にシャーシ２内の所定位置に組み込む。すなわち、レンズアクチュエータ４のベース部材６をシャーシ２の収納空間２３に組み付けると共に、ＦＰＣ５の第１帯状部５１をシャーシ２の内壁面に沿わせて組み付け、しかる後、一対の取付片６０に調整ねじ１３を螺着してベース部材６をシャーシ２に固定する。
【００３３】
より詳しく説明すると、レンズアクチュエータ４をシャーシ２内へ組み込む際には、ベース部材６を収納空間２３に位置合わせして搭載すると共に、ＦＰＣ５の第１帯状部５１をベース部材６の一側面６ｃに巻き掛けるようにしてシャーシ２内へ組み付ける。この第１帯状部５１は、第２帯状部５２に近い基端側はシャーシ２に拘束されているが、基端側と先端側の途中に位置する曲げ部５１ｂ付近（曲げ部５１ｂとその隣接箇所）は自由に動きやすい変位容易部位なので、この変位容易部位を収納空間２３の一隅に沿って延びる溝部２４に挿入することにより、組み込み作業時における該変位容易部位の勝手な動き（ふらつき）を規制するようにしている。なお、第１帯状部５１の変位容易部位と背面基板１１の突出部１１ａはベース部材６の底面から下方へ突出しているが、ベース部材６を収納空間２３に搭載したときに、これら変位容易部位と突出部１１ａの下端部分を溝部２４に挿入することによって、第１帯状部５１の変位容易部位がベース部材６の下面とシャーシ２の内底面との間に挟まれないようになっている。つまり、溝部２４は第１帯状部５１と突出部１１ａの下端部を収容する逃げスペースとして機能するため、ベース部材６を収納空間２３に搭載した後も、第１帯状部５１の変位容易部位は背面基板１１の側端部と重なることなく非接触で対向した状態を維持することになる。また、この組み込み作業時に第１帯状部５１の傾斜部５１ｃはベース部材６の一側面６ｃとシャーシ２の一側壁２５との間に挟まれて位置規制されるが、前述したように、傾斜部５１ｃの上端部分はシャーシ２の一側壁２５よりも高い位置に配置される。
【００３４】
このようにＦＰＣ５の第１帯状部５１の変位容易部位（曲げ部５１ｂとその隣接箇所）を位置規制してふらつきを抑制しつつ、レンズアクチュエータ４と一緒に第１帯状部５１をシャーシ２内へ組み込むと、第１帯状部５１の変位容易部位がベース部材６の下方へ潜り込む可能性が低くなるため、第１帯状部５１がベース部材６とシャーシ２の内底部との間に挟持されてしまうという組み付け不良を回避しやすくなる。なお、第１帯状部５１の変位容易部位がベース部材６の下方へ万一潜り込んでしまった場合には、傾斜部５１ｃの上端部分が所定位置に露出しなくなることで、第１帯状部５１の組み付け不良が瞬時に判明されるため、このような場合は組み込み作業を速やかにやり直すことができる。
【００３５】
以上説明したように、本実施形態例に係る光学式ピックアップ１では、金属板を折曲加工した一体部品のベース部材６を用いてレンズアクチュエータ４が構成されており、このベース部材６に、背面基板１１を固定する第１折曲片６１と、透孔６２ａを有する第２折曲片６２とが設けられ、この透孔６２ａにワイヤ９を挿通した状態で緩衝用ゲル剤１２が充填されている。つまり、このレンズアクチュエータ４は、背面基板１１を支持するためにベース部材６と別体の支持部材を付設する必要がないため、その分、部品コストと組立コストを低減できて低コスト化に有利である。
【００３６】
そして、前述したように、第２折曲片６２の透孔６２ａに注入した未硬化のゲル剤は、表面張力を利用して透孔６２ａに容易に充填させることができ、かつ、透孔６２ａ内におけるゲル剤の基準面の位置も安定させやすくなり、しかも、透孔６２ａの背面基板１１側の開口端に広いスペースが確保されることから、ゾル状態のゲル剤にＵＶ光を効率良く照射させることができる。それゆえ、レンズアクチュエータ４を組み立てる際に、透孔６２ａ内に未硬化のゲル剤を注入・硬化するという緩衝用ゲル剤１２の充填硬化作業を効率良く行えると共に、この緩衝用ゲル剤１２の基準面の位置がばらつかないためワイヤ９の有効長の精度を高めやすくなる。
【００３７】
また、このレンズアクチュエータ４は、ベース部材６に設けた第３折曲片６３によって、背面基板１１の側端部が第２折曲片６２側へ過度に撓まないように規制できるため、光学式ピックアップ１の組立時に作業者が背面基板１１の自由端側（側端部）を意図せずに押し込んでしまっても、背面基板１１が過度に撓んで塑性変形してしまうことを防止できる。
【００３８】
また、このレンズアクチュエータ４は、ベース部材３に第３折曲片６３の上方で横向きに突出する第４折曲片６４を設け、この第４折曲片６４の下方空間に背面基板１１の側端部と第２折曲片６２の透孔６２ａとの間に延在するワイヤ９を配置させているため、光学式ピックアップ１の組立時に作業者がワイヤ９の固定端側に触れにくくなり、ワイヤ９の固定端側が不用意に塑性変形してしまう虞がなくなる。
【００３９】
また、このレンズアクチュエータ４は、ベース部材６に設けた複数の第５折曲片６５がレンズホルダ４の過度な上昇を規制しているため、光学式ピックアップ１に振動や衝撃が加わっても、レンズホルダ４の姿勢が崩れないようになっている。すなわち、これらの第５折曲片６５によって光学式ピックアップ１に所要の耐久性が確保されており、かつ、レンズホルダ４を位置規制するためのカバー部材を別途用意する必要がないため、部品コストと組立コストを低減することができる。しかも、これらの第５折曲片６５は、マグネット１０が密着固定されているヨーク部６ｂから延設されているため、ヨーク体積が増加して磁気回路の磁気効率も高まっている。
【符号の説明】
【００４０】
１  光学式ピックアップ
２  シャーシ
３  受発光ユニット
４  レンズアクチュエータ（対物レンズ駆動機構）
５  ＦＰＣ（フレキシブル配線基板）
６  ベース部材
６ｂ  ヨーク部
７  レンズホルダ
８  対物レンズ
９  ワイヤ
１０  マグネット
１１  背面基板
１１ａ  突出部
１２  緩衝用ゲル剤
１３  調整ねじ
１４  コイル
１５  押え板
２３  収納空間
６０  取付片
６１  第１折曲片
６２  第２折曲片
６２ａ  透孔
６３  第３折曲片
６４  第４折曲片
６５  第５折曲片
【図１】
0005829109.tif 000002
【図２】
0005829109.tif 000003
【図３】
0005829109.tif 000004
【図４】
0005829109.tif 000005
【図５】
0005829109.tif 000006
【図６】
0005829109.tif 000007
【図７】
0005829109.tif 000008
【図８】
0005829109.tif 000009
【図９】
0005829109.tif 000010
【図１０】
0005829109.tif 000011
【図１１】
0005829109.tif 000012
【図１２】
0005829109.tif 000013
【図１３】
0005829109.tif 000014
【図１４】
0005829109.tif 000015
【図１５】
0005829109.tif 000016
【図１６】
0005829109.tif 000017
【図１７】
0005829109.tif 000018
【図１８】
0005829109.tif 000019
【図１９】
0005829109.tif 000020
【図２０】
0005829109.tif 000021
【図２１】
0005829109.tif 000022
【図２２】
0005829109.tif 000023
【図２３】
0005829109.tif 000024
【図２４】
0005829109.tif 000025